(57)【要約】本発明は、ケーシング（１４）、特に鉄製ケーシング内に少なくとも部分的に配置された、電磁プランジャ（１０）と、鉄心または磁心のようなコア（１６，２０）と、電磁プランジャ（１０）内の少なくとも１つの第１の凹部（１２）および／またはコア（１６）内の第２の凹部（１８）と、ケーシングと電磁プランジャおよび／またはコアの間の空隙（３２）とを備え、該空隙が電磁プランジャとコアとの相対運動によって調節可能であり、該相対運動時に電磁プランジャがコアの第２の凹部（１８）内に少なくとも部分的に移動可能であるかまたはこの第２の凹部から外に移動可能であり、および、またはコア（２０）が電磁プランジャの第１の凹部内に少なくとも部分的に移動可能であるかまたはこの第１の凹部から外に移動可能である、電気空気式圧力変換器用電磁プランジャシステムに関する。該電磁プランジャシステムは、第１の凹部内に配置された第１の緩衝部材（２８）および、または第２の凹部内に配置された第２の緩衝部材（３０）を備える。
2004510327.tif 000002
【特許請求の範囲】
【請求項１】
ケーシング（１４）、特に鉄製ケーシング内に少なくとも部分的に配置された、電磁プランジャ（１０）と、鉄心または磁心のようなコア（１６，２０）と、前記電磁プランジャ（１０）内の少なくとも１つの第１の凹部（１２）および、またはコア（１６）内の第２の凹部（１８）と、ケーシング（１４）と前記電磁プランジャ（１０）および、または前記コア（１６，２０）の間の空隙（３２）とを備え、前記空隙が前記電磁プランジャ（１０）と前記コア（１６，２０）との相対運動によって調節可能であり、該相対運動時に前記電磁プランジャ（１０）が前記コア（１６）の前記第２の凹部（１８）内に少なくとも部分的に移動可能であるかまたは前記第２の凹部から外に移動可能であり、および、またはコア（２０）が前記電磁プランジャ（１０）の前記第１の凹部（１２）内に少なくとも部分的に移動可能であるかまたは前記第１の凹部から外に移動可能である、電気空気式圧力変換器用電磁プランジャシステムであって、
前記第１の凹部（１２）内に配置された第１の緩衝部材（２８）および、または前記第２の凹部（１８）内に配置された第２の緩衝部材（３０）を備えることを特徴とする電磁プランジャシステム。
【請求項２】
前記第１の緩衝部材（２８）および、または前記第２の緩衝部材（３０）がエラストマーによって形成されていることを特徴とする請求項１記載の電磁プランジャシステム。
【請求項３】
前記コアが２つの部分によって形成され、前記第２の凹部（１８）が第１のコア部分（１６）に形成され、第２のコア部分（２０）が前記第２の凹部（１８）を通って延在し、かつ前記第１の凹部（１２）内に移動可能であるかまたは前記第１の凹部から外に移動可能であることを特徴とする請求項１または２記載の電磁プランジャシステム。
【請求項４】
前記第１のコア部分（１６）がほぼリング状であり、かつ前記第２のコア部分（２０）の周りに同心的に配置され、前記第２の緩衝部材（３０）がほぼリング状であることを特徴とする請求項３記載の電磁プランジャシステム。
【請求項５】
前記第２のコア部分（２０）がほぼ円筒形であり、前記第１の緩衝部材（２８）が実質的に栓状であることを特徴とする請求項３または４記載の電磁プランジャシステム。
【請求項６】
前記コア、特に第１のコア部分（１６）が前記空隙（３２）を調節するためにねじ付きスリーブ（２４）を介して前記電磁プランジャ（１０）と相対的に移動可能であることを特徴とする請求項１から５のいずれか一つに記載の電磁プランジャシステム。
【請求項７】
前記第２のコア部分（２０）が前記第１のコア部分（１６）内に調節可能に配置され、前記空隙（３２）を調節するために、前記第２のコア部分（２０）、好ましくは前記電磁プランジャ（１０）とは反対側の前記第２のコア部分の端部に作用可能であることを特徴とする請求項３から６のいずれか一つに記載の電磁プランジャシステム。
【請求項８】
前記第１のコア部分（１６）および、または前記第２のコア部分が、前記電磁プランジャ（１０）に向かって先細になっている円錐状部分を備えることを特徴とする請求項３から７のいずれか一つに記載の電磁プランジャシステム。
【請求項９】
前記電磁プランジャ（１０）用滑り軸受ブッシュ（２２）をさらに備えることを特徴とする請求項１から８のいずれか一つに記載の電磁プランジャシステム。
【請求項１０】
前記ケーシング（１４）と前記ねじ付きスリーブ（２４）との間に配置されたスペーサ（２６）をさらに備えることを特徴とする請求項６から９のいずれか一つに記載の電磁プランジャシステム。
【発明の詳細な説明】
【０００１】
【発明の属する技術分野】
本発明は、ケーシング、特に鉄製ケーシング内に少なくとも部分的に配置された、電磁（ソレノイド）プランジャと、鉄心または磁心のようなコアと、電磁プランジャ内の少なくとも１つの第１の凹部および／またはコア内の第２の凹部と、ケーシングと電磁プランジャおよび／またはコアの間の空隙とを備え、この空隙が電磁プランジャとコアとの相対運動によって調節可能であり、この相対運動時に電磁プランジャがコアの第２の凹部内に少なくとも部分的に移動可能であるかまたはこの第２の凹部から外に移動可能であり、および／またはコアが電磁プランジャの第１の凹部内に少なくとも部分的に移動可能であるかまたはこの第１の凹部から外に移動可能である、電気空気式圧力変換器（圧力変換器）のための電磁プランジャシステムに関する。
【０００２】
【従来の技術】
このような電磁プランジャシステムが従来からある（例えば、特許文献１参照）。特に、自動車の空気圧制御装置に適用可能な公知の電気空気式変換器は、弁装置を備える。この弁装置はダイヤフラムと電磁プランジャによって操作され、ポートを開閉することによって、弁室内に、低い空気圧と大気圧からなる混合圧力を発生する。この混合圧力はポートを経て消費部に供給される。電磁プランジャシステムは鉄製ケーシングと電磁プランジャの間の空隙、すなわち磁気回路内の空隙を調節可能という利点がある。更に、空隙内の空気は緩衝性を有するが、空隙のいくつかが密閉されるので、漏れのない空隙が緩衝特性を示す。従来は、電磁プランジャとその支承部の間にオイルシールを設け、電磁プランジャシステムが少なくとも電磁プランジャとは反対側のその端部で樹脂に鋳込むようにして漏れを回避していた。オイルシールと樹脂埋め込みに手間および費用がかかるだけでなく、漏れの回避が確実ではないので、電気空気式圧力変換器の運転中、電磁プランジャとコアが互いに衝突し、それによって電磁プランジャとコアが損傷し、かつ大きな騒音を発生する。更に、空隙は温度に大きく左右され、空隙内の空気の緩衝性に影響するという課題がある。
【０００３】
【特許文献１】
ドイツ国特許第４１１０００３号明細書
【０００４】
【発明が解決しようとする課題】
そこで、本発明の課題は、技術水準の課題を解決し、特に広い用途において繰り返し応力の下でまたは機能の急激な変化時に、特に電磁プランジャおよび、またはコアの機械的な損傷を防止し、かつ騒音の発生を低減するために、電磁プランジャとコアの金属的な衝突が確実に回避されるように、冒頭に述べた電磁プランジャシステムを改良することである。
【０００５】
【課題を解決するための手段】
この課題は本発明に従い、第１の凹部内に配置された第１の緩衝部材および、または第２の凹部内に配置された第２の緩衝部材を備えていることによって解決される。
【０００６】
その際、第１の緩衝部材および／または第２の緩衝部材がエラストマーによって形成されていると有利である。
【０００７】
本発明の有利な実施形は、コアが２つの部分によって形成され、第２の凹部が第１のコア部分に形成され、第２のコア部分が第２の凹部を通って延び、かつ第１の凹部内に移動可能であるかまたはこの第１の凹部から外に移動可能であることを特徴とする。
【０００８】
その際、第１のコア部分はほぼリング状であり、かつ第２のコア部分の周りに同心的に配置され、第２の緩衝部材はほぼリング状である。
【０００９】
本発明によって更に、第２のコア部分がほぼ円筒形であり、第１の緩衝部材がほぼ栓状であることが提案される。
【００１０】
本発明では更に、コア、特に第１のコア部分が空隙を調節するようねじ付きスリーブを介して電磁プランジャと相対的に移動可能である。
【００１１】
本発明に従って更に、第２のコア部分が第１のコア部分内に調節可能に配置され、空隙を調節するために、第２のコア部分、好ましくは電磁プランジャとは反対側の第２のコア部分の端部に作用可能であることが提案される。
【００１２】
本発明に従って更に、第１のコア部分および／または第２のコア部分が、電磁プランジャに向かって先細になっている円錐状部分を備えることが提案される。
【００１３】
更に、本発明に従って、電磁プランジャ用滑り軸受ブッシュを設けてもよい。
【００１４】
更に、本発明に従って、ケーシングとねじ付きスリーブの間に、スペーサを配置してもよい。
【００１５】
本発明は、電気空気式圧力変換器の磁気回路の空隙が実質的に電気空気式圧力変換器を調節する機能を発揮する一方、緩衝特性が、電磁プランジャとコアの間、すなわちコアの凹部および、または電磁プランジャの凹部内に設けられた少なくとも１個の付加的な緩衝部材によって行われることにより、電磁プランジャシステムの損耗を簡単に低減することができ、かつ電磁プランジャシステムの用途を簡単に広げることができるという新規な発見に基づく。緩衝部材は電磁プランジャとコアの金属的な衝突を確実に防止し、費用のかかる空隙のシールを省略可能である。緩衝部材は更に、電気空気式圧力変換器の騒音を低減するために、消音作用を行う。緩衝部材は、好ましくは、温度に左右されにくいゆえに電気空気式圧力変換器の用途を広げるエラストマーによって形成されている。
【００１６】
【発明の実施の形態】
本発明の他の特徴と効果は、概略的な図に基づいて本発明の実施の形態を詳細に説明する次の記載から明らかである。
【００１７】
図に示すように、本発明による電磁（ソレノイド）プランジャシステム１はコイル２内に、電磁プランジャ１０を備える。この電磁プランジャは、電気空気式圧力変換器（トランスデューサ）の図示しないダイヤフラムとは反対側のその端部に、第１の凹部１２を備える。その際、第１の凹部１２はほぼ円筒状であり、そして端部が円錐状に先細とされる。電磁プランジャは少なくとも一部が鉄製ケーシング１４内に延在する。この鉄製ケーシングはコイル２と、鉄心の少なくとも一部とを取り囲む。鉄心自体は２個の構成要素を備える。第１の鉄心部分１６は第２の凹部１８を備え、この第２の凹部内に第２の鉄心部分２０が配置される。電磁プランジャ１０は更に、鉄製ケーシング１４内の滑り軸受ブッシュ２２内で案内される一方、第１の鉄心部分１６はねじ付きスリーブ２４内に支承される。このねじ付きスリーブ自体はスペーサ２６によって鉄製ケーシング１４への当接を防止される。電磁プランジャ１０内の第１の凹部１２内には緩衝栓２８、特に第１の凹部１２に部分的に充填されたエラストマーの形の緩衝栓が配置され、第１の鉄心１６内の第２の凹部１８内には緩衝リング３０、特に第２の凹部１８に部分的に充填されたエラストマーの形の緩衝リングが配置される。電磁プランジャ１０とスペーサ２６と鉄心１６，２０の間には、空隙３２が形成される。空隙３２の大きさは電気空気式圧力変換器を調節するように、電磁プランジャ１０と相対的に第１の鉄心部分１６を移動させる（ねじ付きスリーブ２４を回転させること）によって調節可能である。この調節に加えて、または、第２の鉄心部分２０を移動させること（第２の鉄心部分を回転させること）によって空隙３２の大きさが調節可能である。
【００１８】
本発明による電磁プランジャシステム１を備えた電気空気式圧力変換器の運転中、緩衝リング２８と緩衝栓３０は、電磁プランジャ１０に対する、第１の鉄心部分１６または第２の鉄心部分２０の金属的な衝突を防止する。損傷の低減にしたがって、電磁プランジャシステム１の耐用年数を延長し、他方では騒音の発生を低減し、しかも緩衝リング２８と緩衝栓３０のために使用されるエラストマーの温度に対する低い依存性に基づいて広い温度範囲にわたって騒音発生を低減する。
【００１９】
上記、特許請求の範囲および図面に開示された本発明の特徴は、単独でも任意のあらゆる組み合わせにおいても、本発明をいろいろな実施の形態で実施するために重要である。
【図面の簡単な説明】
【図１】
本発明の電磁プランジャシステムを備えた電気空気式圧力変換器の部分断面図である。
【符号の説明】
１　　　　　　　　　電磁プランジャシステム
２　　　　　　　　　コイル
１０　　　　　　　　電磁プランジャ
１２　　　　　　　　凹部
１４　　　　　　　　鉄製ケーシング
１６　　　　　　　　鉄心部分
１８　　　　　　　　凹部
２０　　　　　　　　鉄心部分
２２　　　　　　　　滑り軸受
２４　　　　　　　　ねじ付きスリーブ
２６　　　　　　　　スペーサ
２８　　　　　　　　緩衝栓
３０　　　　　　　　緩衝リング
３２　　　　　　　　空隙
【国際公開パンフレット】
2004510327.tif 000003
2004510327.tif 000004
2004510327.tif 000005
2004510327.tif 000006
2004510327.tif 000007
2004510327.tif 000008
2004510327.tif 000009
2004510327.tif 000010
2004510327.tif 000011
2004510327.tif 000012
2004510327.tif 000013
【国際公開パンフレット（コレクトバージョン）】
2004510327.tif 000014
2004510327.tif 000015
【手続補正書】
【提出日】平成14年4月19日(2002.4.19)
【手続補正１】
【補正対象書類名】明細書
【補正対象項目名】特許請求の範囲
【補正方法】変更
【補正の内容】
【特許請求の範囲】
【請求項１】
ケーシング（１４）、特に鉄製ケーシング内に少なくとも部分的に配置された、電磁プランジャ（１０）と、鉄心または磁心のようなコア（１６，２０）と、前記電磁プランジャ（１０）内の少なくとも１つの第１の凹部（１２）および、またはコア（１６）内の第２の凹部（１８）と、ケーシング（１４）と前記電磁プランジャ（１０）および、または前記コア（１６，２０）の間の空隙（３２）とを備え、前記空隙が前記電磁プランジャ（１０）と前記コア（１６，２０）との相対運動によって調節可能であり、該相対運動時に前記電磁プランジャ（１０）が前記コア（１６）の前記第２の凹部（１８）内に少なくとも部分的に移動可能であるかまたは前記第２の凹部から外に移動可能であり、および、またはコア（２０）が前記電磁プランジャ（１０）の前記第１の凹部（１２）内に少なくとも部分的に移動可能であるかまたは前記第１の凹部から外に移動可能であり、前記コア（１６，２０）が前記空隙（３２）を調節するようにプランジャ形アーマチュア（１０）と相対的に移動可能である、電気空気式圧力変換器用電磁プランジャシステムであって、
前記コア（１６，２０）を前記電磁プランジャ（１０）と相対的に移動させることが可能なねじ付きスリーブ（２４）と、
前記ケーシング（１４）と前記ねじ付きスリーブ（２４）の間に配置されたスペーサ（２６）と、
前記第１の凹部（１２）内に配置された第１の緩衝部材（２８）および、または前記第２の凹部（１８）内に配置された第２の緩衝部材（３０）と、
を備えることを特徴とする電磁プランジャシステム。
【請求項２】
前記第１の緩衝部材（２８）および、または前記第２の緩衝部材（３０）がエラストマーによって形成されていることを特徴とする請求項１記載の電磁プランジャシステム。
【請求項３】
前記コアが２つの部分によって形成され、前記第２の凹部（１８）が第１のコア部分（１６）に形成され、第２のコア部分（２０）が前記第２の凹部（１８）を通って延在し、かつ前記第１の凹部（１２）内に移動可能であるかまたは前記第１の凹部から外に移動可能であり、特に前記第１のコア部分（１６）が前記空隙（３２）を調節するように前記ねじ付きスリーブ（２４）を介して前記電磁プランジャ（１０）と相対的に移動可能であることを特徴とする請求項１または２記載の電磁プランジャシステム。
【請求項４】
前記第１のコア部分（１６）がほぼリング状であり、かつ前記第２のコア部分（２０）の周りに同心的に配置され、前記第２の緩衝部材（３０）がほぼリング状であることを特徴とする請求項３記載の電磁プランジャシステム。
【請求項５】
前記第２のコア部分（２０）がほぼ円筒形であり、前記第１の緩衝部材（２８）が実質的に栓状であることを特徴とする請求項３または４記載の電磁プランジャシステム。
【請求項６】
前記第２のコア部分（２０）が前記第１のコア部分（１６）内に調節可能に配置され、前記空隙（３２）を調節するために、前記第２のコア部分（２０）、好ましくは前記電磁プランジャ（１０）とは反対側の前記第２のコア部分の端部に作用可能であることを特徴とする請求項３から５のいずれか一つに記載の電磁プランジャシステム。
【請求項７】
前記第１のコア部分（１６）および、または前記第２のコア部分が、前記電磁プランジャ（１０）に向かって先細になっている円錐状部分を備えることを特徴とする請求項３から６のいずれか一つに記載の電磁プランジャシステム。
【請求項８】
前記電磁プランジャ（１０）用滑り軸受ブッシュ（２２）をさらに備えることを特徴とする請求項１から７のいずれか一つに記載の電磁プランジャシステム。
【国際調査報告】
2004510327.tif 000016
2004510327.tif 000017
2004510327.tif 000018
2004510327.tif 000019
2004510327.tif 000020
2004510327.tif 000021